(57)【要約】【課題】  室内を照明するとともに、その発光を幻想的にするための演出効果を奏し得る棚板の照明構造を提供すること。【解決手段】  ミラーパネル２１の正面にミラー取り付け枠２３を突出させて設け、このミラー取り付け枠２３に、ミラー２２を着脱可能に取り付けた。そして、ミラー取り付け枠２３の左右方向の一方側に切り欠き部２３ｃを設けて、その部分に透光性を有する棚板２４ａ等を設けるとともに、ミラー取り付け枠２３内における棚板２４ａ等に対応する部分にＬＥＤユニット２７ａ等を設置した。また、ミラー取り付け枠２３内を左右に仕切る遮光性の仕切り部２３ａを設けるとともに、ミラー取り付け枠２３の左右方向の他方側に窓部２３ｂを設け、ミラー取り付け枠２３内における仕切り部２３ａよりも他方側の部分にミラー取り付け枠２３の他方側を弱い光で照明するための照明具２８を設置した。【選択図】  図２
2005142102.tif 000002
【特許請求の範囲】
【請求項１】
室内に設けられたパネルに、透光性を有する素材からなる棚板を取り付けるとともに、前記棚板の側面側に、前面部が遮光部に形成された発光体収容部を設け、前記発光体収容部内に前記棚板に光を照射する発光体を設置したことを特徴とする棚板の照明構造。
【請求項２】
前記パネルをミラーパネルで構成し、前記ミラーパネルの正面にミラー取り付け部を前方に突出させて設けるとともに、前記ミラー取り付け部の前部に、前記ミラーパネルとの間に空間部を形成した状態でミラーを取り付け、前記ミラーパネルと前記ミラーとの間の空間部を前記発光体収容部とした請求項１に記載の棚板の照明構造。
【請求項３】
前記ミラー取り付け部を、縁部が前記ミラーの周縁部に沿った枠体で構成して、前記ミラー取り付け部に前記ミラーを着脱可能に取り付け、前記ミラー取り付け部の左右方向の一方側に前記棚板を設けるとともに、前記ミラー取り付け部の内部における前記棚板に対応する部分に前記発光体を設置した請求項２に記載の棚板の照明構造。
【請求項４】
前記ミラー取り付け部内を左右に仕切る遮光性を有する仕切り部を設けるとともに、前記ミラー取り付け部の左右方向の他方側に透光用の窓部を設け、前記ミラー取り付け部内における前記仕切り部よりも他方側の部分に照明具を設置した請求項３に記載の棚板の照明構造。
【請求項５】
内部に空間部が設けられた支持部を前記棚板の側面側に設置し、前記空間部内に発光体を設置した請求項１に記載の棚板の照明構造。
【発明の詳細な説明】
【技術分野】
【０００１】
本発明は、室内に設けられたパネルに透光性を有する棚板を取り付け、この棚板に光を照射することによってパネルに光模様を映し出すことができる棚板の照明構造に関する。
【背景技術】
【０００２】
従来から、室内の壁面や天井面等を構成するパネルに照明装置を取り付けることが行われており、このような照明装置の中に、浴室に設けられたミラーパネルに取り付けられたものがある（例えば、特許文献１参照）。
【特許文献１】特開２００１−３５２４５号公報
【発明の開示】
【０００３】
しかしながら、従来の照明装置は、室内を明るくすることを主目的とし、さらに、照明装置自体のデザインに工夫が加えられたり、清掃し易い構造に設計されたりしているが、照明の光による演出効果という点についてはあまり考慮されていない。特に、最近の浴室などでは、単に体を温めたり洗ったりするだけに留まらず、疲労回復や精神的なリフレッシュの場としての利用が注目されている。このため、光や音等を使った演出効果の向上が望まれている。
【０００４】
本発明は、上記問題に対処するためになされたもので、その目的は、室内を照明するとともに、その光を幻想的にするための演出効果を奏し得る棚板の照明構造を提供することである。
【０００５】
上記の目的を達成するため、本発明にかかる棚板の照明構造の特徴は、室内に設けられたパネルに、透光性を有する素材からなる棚板を取り付けるとともに、棚板の側面側に、前面部が遮光部に形成された発光体収容部を設け、発光体収容部内に、棚板に光を照射する発光体を設置したことにある。
【０００６】
前記のように構成した本発明の棚板の照明構造によれば、棚板の側面側に取り付けられた発光体が発する光を、棚板の正面から見ることができる。この場合、発光体収容部の前面部は光を通さない遮光部に形成されているため、棚板の側面側に取り付けられた発光体が発する光は、棚板の側面や下面などから棚板内に入り、棚板内を通過していく。このため、パネルの正面から見ると、あたかも棚板自体が発光しているように見えその光模様が興趣に富んだものとなる。また、物を置くための棚を照明具として利用することができ、棚の有効利用が可能になるとともに、物を置くための棚が発光するという意外性により、演出効果がさらに大きくなる。
【０００７】
さらに、発光体の光や棚板を有色にすることもでき、これにより、光模様はより一層興趣に富んだものとなる。また、パネルとしては、浴室やキッチン等の各種の室内において壁面として使用されるパネルやパーテーション等の各種のパネル、さらに、壁面に取り付けられるミラーパネル等が使用できる。また、発光体としては、例えば、ＬＥＤを用いることができる。また、棚板を複数個設けることにより、その光模様はさらに興趣に富んだものになる。
【０００８】
また、本発明にかかる棚板の照明構造の他の構成上の特徴は、パネルをミラーパネルで構成し、ミラーパネルの正面にミラー取り付け部を前方に突出させて設けるとともに、ミラー取り付け部の前部に、ミラーパネルとの間に空間部を形成した状態でミラーを取り付け、ミラーパネルとミラーとの間の空間部を発光体収容部としたことにある。これによると、ミラーがミラーパネルの表面から突出した位置に固定されるため、発光体から照射される光は、ミラーの裏面側から棚板に向かって出て行く。このため、ミラーパネルを正面から見ると、ミラーから線状の光が出ているように見える。この場合のミラー取り付け部としては、枠状の部材や棒状の部材等、ミラーパネルとミラーとの間に隙間を含む空間部を形成できるものであれば使用が可能である。
【０００９】
また、本発明にかかる棚板の照明構造のさらに他の構成上の特徴は、ミラー取り付け部を、縁部がミラーの周縁部に沿った枠体で構成して、ミラー取り付け部にミラーを着脱可能に取り付け、ミラー取り付け部の左右方向の一方側に棚板を設けるとともに、ミラー取り付け部の内部における棚板に対応する部分に発光体を設置したことにある。
【００１０】
これによると、ミラー取り付け部の内部に、発光体収容部を構成する空間部が形成されるため、ミラー取り付け部の内部に発光体の外、電線や各種の機器等を設置することができる。また、ミラーがミラー取り付け部に対して着脱可能になっているため、発光体等のメンテナンスが必要になったときには、ミラーを取り外すことによって空間部を開けることができメンテナンスを容易に行うことができる。
【００１１】
この場合、ミラーのミラー取り付け部への取り付けは、ねじ等の部材を用いて行ったり、はめ込み式にして行ったり、蝶番を用いたヒンジ構造を用いて行ったりすることができる。また、ミラーのミラーパネルに対する着脱は、ミラーをミラーパネルから取り外すだけでなく、空間部を開閉することも含むものとする。
【００１２】
また、本発明にかかる棚板の照明構造のさらに他の構成上の特徴は、枠状のミラー取り付け部内を左右に仕切る遮光性を有する仕切り部を設けるとともに、ミラー取り付け部の左右方向の他方側に透光用の窓部を設け、ミラー取り付け部内における仕切り部よりも他方側の部分に照明具を設置したことにある。
【００１３】
これによると、ミラーを挟んで一方側には、棚板を介して発生する線状の光模様が現れ、他方側には、ミラーの裏側から照射される棚板の光とは異なる面状の光模様が現れるようになる。この場合、照明具を弱い光を発生するもので構成することが好ましい。さらに、ミラーパネルは、左右方向の中央部が奥側に窪むように湾曲した曲面に形成することが好ましく、これによると照明具の光はぼかしが入った光模様になる。このように異なる二種類の光によって、より、リラクゼイション効果が向上する。
【００１４】
また、この棚板の照明構造では、ミラー取り付け部内に、ミラー取り付け部内の左右を仕切る遮光性を有する仕切り部が設けられているため、発光体の光が他方に漏れたり、照明具の光が一方に漏れたりすることがない。これによって、鮮明な光模様を発現させることができる。また、この場合、照明具と発光体との電源に対する接続を切り替えるための切換スイッチを設けることができる。この切換スイッチは、例えば、ミラーの裏面側に設置することができる。
【００１５】
また、本発明にかかる棚板の照明構造のさらに他の構成上の特徴は、内部に空間部が設けられた支持部を棚板の側面側に設置し、空間部内に発光体を設置したことにある。これによると、棚板を支持するための支持部内に発光体を設置するため、照明構造の構成が簡単になるとともに、発光体としてＬＥＤを用いる場合には、その個数を少なくすることができる。
【００１６】
また、本発明にかかる棚板の照明構造では、パネルに、パネル近傍を照明するための照明装置や室内全体を照明するための照明装置を別途設けることもできる。これによると、パネルの近傍や室内全体を明るくする場合には、照明装置による照明でパネル近傍を明るくすることができ、パネル近傍や室内全体を暗くしてくつろぐ場合等には、発光体による照明だけ、または発光体と照明具との照明で光の演出効果を出すことができる。また、パネルが設けられる室内は浴室内にすることが好ましい。これによると、浴室内を幻想的な雰囲気にすることができ、リラクゼイションのための演出効果を効果的に向上することができる。
【発明を実施するための最良の形態】
【００１７】
以下、本発明の一実施形態を図面を用いて説明する。図１および図２は、同実施形態に係る棚板の照明構造２０を備えた浴室ユニット１０を示している。この浴室ユニット１０は、浴槽１１を備えており、浴槽１１は、浴槽フロア（図示せず）の上面に設置されている。そして、浴槽フロアの長手方向に沿った一方の縁部には、洗い場フロア１２が接続され、浴槽フロアと洗い場フロア１２との周縁部に、壁パネル１３ａ，１３ｂ，１３ｃ等が起立状態で設置されている。そして、壁パネル１３ａ等の上端部に略ドーム状の天井パネル１４ａ，１４ｂが掛け渡されて固定されている。
【００１８】
また、洗い場フロア１２の上面における壁パネル１３ｂに沿った部分には、浴槽１１の上面と略等しい高さに設定されたカウンター１５が設けられ、浴槽１１の上面におけるカウンター１５側の角部に、浴槽１１内に湯や水を供給するための水栓１６が設けられている。また、カウンター１５の上方に、壁パネル１３ｂの一方側部分に沿ったミラーパネル２１が取り付けられている。
【００１９】
ミラーパネル２１の表面は、幅方向の中央部がやや後方に窪んだ湾曲状に形成されており、その中央部に縦長の楕円板状のミラー２２が取り付けられている。このミラー２２は、図３に示したミラー取り付け枠２３を介してミラーパネル２１に取り付けられている。ミラー取り付け枠２３は、正面から見た状態で楕円状の枠体に形成されており、左右方向における中央に内部を左右に仕切る板状の仕切り部２３ａが設けられている。そして、ミラー取り付け枠２３の壁パネル１３ａ側部分には、透光用の窓部２３ｂが形成されている。
【００２０】
また、ミラー取り付け枠２３の壁パネル１３ｃ側部分には、水平方向に延びる切り欠き部２３ｃが上下に所定間隔を保って３個設けられ、この切り欠き部２３ｃに、それぞれ棚板２４ａ，２４ｂ，２４ｃの一方側の端部が固定されている。棚板２４ａ，２４ｂ，２４ｃの他方の端部は、それぞれ対応する支持部２５ａ，２５ｂ，２５ｃによってミラーパネル２１に固定されている。また、ミラー２２は、固定具２６ａ，２６ｂによって、ミラー取り付け枠２３の上端部と下端部とに着脱可能な状態で取り付けられている。
【００２１】
棚板２４ａ，２４ｂ，２４ｃは、それぞれ透光性を有する板材、例えば、透明のアクリル板で構成され、ミラーパネル２１の表面に水平に設置されている。また、棚板２４ａ（，２４ｂ，２４ｃ）は、図４に示したように、平面視がミラーパネル２１の湾曲に沿って曲がった形状に形成されており、正面側の端面はやや直線に近い状態に形成されている。棚板２４ａ，２４ｂ，２４ｃの上面には、それぞれ洗面用具や入浴用具を置くことができる。そして、仕切り部２３ａにおける棚板２４ａ，２４ｂ，２４ｃに対向する部分には、それぞれＬＥＤユニット２７ａ，２７ｂ，２７ｃが設置されている。ＬＥＤユニット２７ａ，２７ｂ，２７ｃは、それぞれ本発明の発光体としての４個のＬＥＤ素子を、棚板２４ａ，２４ｂ，２４ｃの側面に沿わせて一定間隔に配置させて構成されている。
【００２２】
また、仕切り部２３ａにおける窓部２３ｂに対向する部分には、照明具２８が設置されている。この照明具２８は、ＬＥＤ素子や消費電力の小さな蛍光灯で構成され、窓部２３ｂを介して、ミラーパネル２１における壁パネル１３ａ側部分をぼかしたように照射する。そして、仕切り部２３ａにおける窓部２３ｂに対向する部分の下端側部分には、切換スイッチ２９が設置されている。この切換スイッチ２９は、窓部２３ｂからミラー取り付け枠２３内に手を入れることにより操作でき、その操作によって、ＬＥＤユニット２７ａ，２７ｂ，２７ｃおよび照明具２８を点灯可能または消灯の状態にすることができる。
【００２３】
そして、ミラーパネル２１の上端部には、照明装置３１が設置されている。この照明装置３１は、ミラーパネル２１の近傍、或いは浴室ユニット１０内全体を明るく照明するための主照明として設けられたものであり、配線３２ａを介して電源ユニット３３に接続されている。また、ＬＥＤユニット２７ａ，２７ｂ，２７ｃは配線３２ｂを介して電源ユニット３３に接続され、照明具２８は配線３２ｃを介して電源ユニット３３に接続されている。また、壁パネル１３ｃの所定部分、或いは浴室ユニット１０の出入口付近の洗面室の壁等には、電源ユニット３３に接続された元スイッチ（図示せず）が取り付けられており、この元スイッチをオンオフ状態に操作することにより、ＬＥＤユニット２７ａ，２７ｂ，２７ｃ、照明具２８および照明装置３１をそれぞれ点灯または消灯の状態にすることができる。
【００２４】
また、ミラーパネル２１の正面におけるミラー２２の下方には、ミラーパネル２１の幅方向に延びる大きな棚板１７と水栓１８が設けられている。この水栓１８の内部における所定部分にもＬＥＤユニット１９が設けられて、カウンター１５上や水栓１８の近傍を照明できるようにしている。このＬＥＤユニット１９は、配線３２ｄを介して切換スイッチ２９に接続されており、元スイッチがオン状態のときに、切換スイッチ２９の操作により点灯または消灯する。また、天井パネルや壁パネル１３ａ等の所定箇所には、浴室ユニット１０内全体を照明するための照明装置（図示せず）が設けられている。
【００２５】
この構成において、入浴者が浴室ユニット１０内での入浴時に体を洗う際には、洗い場フロア１２におけるカウンター１５の手前に洗い椅子（図示せず）を置いて腰掛け、水栓１８から湯や水を取り出して体を洗う。この場合、照明装置３１等を点灯してカウンター１５の周囲や浴室ユニット１０内全体を明るくする。そして、棚板２４ａ等に置いている石鹸やシャンプー等の入浴用具や洗面用具をカウンター１５上に移して使用する。また、ひげを剃る際には、ミラー２２で顔を見ながら行う。
【００２６】
そして、浴槽１１内に入るときには、照明装置３１等を消灯して、ＬＥＤユニット２７ａ等を点灯させる。これによって、入浴者は湯船に浸かりながら、棚板２４ａ等に発生する幻想的な光模様を眺めることができる。また、同時に照明具２８やＬＥＤユニット１９も点灯させて、ＬＥＤユニット２７ａ等の発光に組み合わせて、照明具２８やＬＥＤユニット１９を発光させることにより、ミラー２２の両側に線状の光とぼかしたような光とが現れるとともに、水栓１８の所定部分が点灯して演出効果が向上する。
【００２７】
また、カウンター１５の前で、体を洗う際に、照明装置３１等を消灯して、ＬＥＤユニット２７ａ等を点灯させることもできる。これによると、薄暗い浴室ユニット１０内において、棚板２４ａ等や水栓１８が光って見えるため、入浴用具や洗面用具の確認が容易になる。また、水栓１８の使い勝手もよくなる。
【００２８】
また、本発明の他の実施形態として、支持部２５ａ，２５ｂ，２５ｃ内に空間部を設け、この空間部内に、ＬＥＤユニットまたはＬＥＤ素子からなる発光体を設置することができる。この場合、支持部２５ａ等における棚板２４ａ等の側面に対向する部分以外の部分は、遮光性を有する部分にして、発光体からの発光が棚板２４ａ等側以外の部分に漏れないようにすることが好ましい。これによっても、幻想的な光模様を発生させることができる。
【００２９】
また、本発明に係る棚板の照明構造は、前述した実施形態に限定するものでなく、適宜変更実施が可能である。例えば、前述した実施形態では、棚板２４ａ，２４ｂ，２４ｃを透明のアクリル板で構成しているが、この材料としては、他の樹脂材料やガラス等を用いることができる。また、前述した実施形態では、発光体をＬＥＤユニット２７ａ，２７ｂ，２７ｃで構成したが、この発光体としてはこれに限らず、電球を用いてもよい。また、発光体や棚板２４ａ，２４ｂ，２４ｃは有色のもので構成することができる。これによって、より光の演出効果を大きくすることができる。
【００３０】
さらに、棚板２４ａ，２４ｂ，２４ｃの中に、細かな反射物を埋め込むこともできる。これによるとミラーパネル２１から星のような輝きが生じ、より興趣に富んだものとなる。また、前述した実施形態では、ミラー取り付け部をミラー取り付け枠２３で構成しているが、このミラー取り付け部としては、ミラーパネル２１の表面から所定間隔を保ってミラー２２を支持できるものであればよい。例えば、ミラー２２の裏面を左右に仕切る仕切り板でミラー取り付け部を構成し、仕切り板の一方に発光体や棚板を設置することができる。また、ミラー２２の中央部を支持する棒状や円板状のものでミラー取り付け部を構成することもできる。
【００３１】
また、前述した実施形態では、棚板２４ａ等を、ミラー取り付け枠２３の切り欠き部３４ｃと支持部２５ａ等との間に設置しているが、棚板２４ａ等の側面部をミラー取り付け枠２３内の中央側に延ばして、ＬＥＤユニット２７ａ等の近傍に位置させてもよい。また、ＬＥＤユニット２７ａ等をミラー取り付け枠２３の切り欠き部２３ｃ近傍に設置することもできる。これによると、ＬＥＤユニット２７ａ等と棚板２４ａ等の側面とが接近するため、棚板２４ａ等への光の照射がより効果的に行える。
【００３２】
さらに、ＬＥＤユニット２７ａ等を、棚板２４ａ等の側面側であって、やや下方又は上方位置に設置し、棚板２４ａ等の下面或いは上面に光を照射する構成とすることも可能である。その場合、棚板２４ａに置かれる入浴用具等を考慮すると棚板２４ａの下面側に光を照射する構成が好ましい。また、仕切り部２３ａを省略することも可能である。さらに、本発明のパネルは、ミラーパネル２１に限らず、壁面として使用されるパネルやパーテーションでもよいし、そのパネルも浴室で使用されるものに限らず、キッチン等どのような部屋で使用されるパネルであってもよい。
【図面の簡単な説明】
【００３３】
【図１】本発明の一実施形態による棚板の照明構造を備えた浴室を示す斜視図である。
【図２】棚板の照明構造を備えた浴室の要部を示す正面図である。
【図３】図２の３−３断面図である。
【図４】棚板と棚板を照射するＬＥＤユニットとを示す図であり、（ａ）は正面図、（ｂ）は平面図である。
【符号の説明】
【００３４】
１０…浴室ユニット、１３ａ，１３ｂ，１３ｃ…壁パネル、２０…棚板の照明構造、２１…ミラーパネル、２２…ミラー、２３…ミラー取り付け枠、２３ａ…仕切り部、２３ｂ…窓部、２３ｃ…切り欠き部、２４ａ，２４ｂ，２４ｃ…棚板、２５ａ，２５ｂ，２５ｃ…支持部、２７ａ，２７ｂ，２７ｃ…ＬＥＤユニット、２８…照明具。
【図１】
2005142102.tif 000003
【図２】
2005142102.tif 000004
【図３】
2005142102.tif 000005
【図４】
2005142102.tif 000006